(57)【要約】【課題】  光ファイバ心線の伝送特性に影響を与えることなく、光ファイバケーブルを余長処理装置等に簡単かつ確実に固定する。【解決手段】  光ファイバ心線２が収納されるガイド溝２２は、固定具本体１００の底面１２上に一端から他端に掛けて形成される。第１係止突起２４は、ガイド溝２２の両側に、溝方向Ｄに沿って間隔を置いて複数形成される。これら第１係止突起２４は、光ファイバケーブル６の分離部分８から光ファイバ心線２と分かれて蛇行状に湾曲され、固定具本体１００上の底面１２上に埋め込まれる各テンションメンバ４の湾曲部の内周側に接触する。そして、第１係止突起２４とテンションメンバ４の湾曲部との摩擦力により、テンションメンバ４の抜けが防止される。【選択図】    図１
2006308638.tif 000002
【特許請求の範囲】
【請求項１】
光ファイバ心線と、光ファイバ心線の両側に設けられた弾性を有する一対のテンションメンバとが樹脂により一体化され、樹脂を切り裂くことでテンションメンバの一部を光ファイバ心線から分離可能な光ファイバケーブルを固定するための光ファイバケーブル固定具であって、
周囲より窪んだ底面を有する固定具本体と、
前記固定具本体における光ファイバケーブルの導入側の一端に形成され、光ファイバケーブルの光ファイバ心線とテンションメンバとが分離される分離部分を保持する保持部と、
前記固定具本体の他端に形成され、前記保持部から延在する光ファイバ心線を前記固定具本体の外側に延在させるための取り出し部と、
前記固定具本体の底面上に、前記一端から前記他端に掛けて形成され、前記固定具本体上を延在する光ファイバ心線が収納されるガイド溝と、
前記固定具本体の底面上の前記ガイド溝の両側に、溝方向に沿って間隔を置いて形成され、前記分離部分から分かれ蛇行状に湾曲される各テンションメンバの湾曲部の内周側に接触させるための複数の第１係止突起とを備えていることを特徴とする光ファイバケーブル固定具。
【請求項２】
請求項１記載の光ファイバケーブル固定具において、
前記第１係止突起は、前記ガイド溝の両側にそれぞれ３個ずつ形成され、
前記溝方向に並ぶ各第１係止突起列の中央の第１係止突起は、前記ガイド溝の側壁を外側に突出させて前記側壁および前記底面と一体に形成されていることを特徴とする光ファイバケーブル固定具。
【請求項３】
請求項２記載の光ファイバケーブル固定具において、
前記中央の第１係止突起は、前記湾曲部の内周側が接触する位置に内周側に向けて突出する係止リブを備えていることを特徴とする光ファイバケーブル固定具。
【請求項４】
請求項３記載の光ファイバケーブル固定具において、
前記係止リブの前記底面と反対側の端は、面取りされていることを特徴とする光ファイバケーブル固定具。
【請求項５】
請求項２記載の光ファイバケーブル固定具において、
前記固定具本体の前記底面上において、前記他端側に位置する第１係止突起の前記ガイド溝と反対側に、この第１係止突起と並列して形成された第２係止突起を備え、
並列された第１および第２係止突起の間隔は、テンションメンバの外径より大きいことを特徴とする光ファイバケーブル固定具。
【請求項６】
請求項１記載の光ファイバケーブル固定具において、
前記底面から突出する前記第１係止突起は、横断面矩形状に形成され、
これら第１係止突起の突出端は、面取りされていることを特徴とする光ファイバケーブル固定具。
【請求項７】
請求項１記載の光ファイバケーブル固定具において、
前記第１係止突起は、前記ガイド溝を軸として対称な位置に形成されていることを特徴とする光ファイバケーブル固定具。
【請求項８】
請求項１記載の光ファイバケーブル固定具において、
前記固定具本体における前記底面に対向する開口部分を覆って配置される板状のカバー
を備え、
前記カバーは、前記底面から突出する前記第１係止突起の突出端が、前記固定具本体への取り付け時に挿入される挿入穴を備えていることを特徴とする光ファイバケーブル固定具。
【請求項９】
請求項８記載の光ファイバケーブル固定具において、
前記カバーは、前記固定具本体に対向する面における前記溝方向に並ぶ第１係止突起の間に対応する位置に、テンションメンバの蛇行部分を前記固定具本体の前記底面に押圧するために、前記固定具本体に向けて突出するケーブル押さえ突起を備えていることを特徴とする光ファイバケーブル固定具。
【請求項１０】
請求項８記載の光ファイバケーブル固定具において、
前記カバーは、前記固定具本体に対向する面に、前記固定具本体に向けて突出する係止部を備え、
前記固定具本体は、前記底面上に前記係止部を係止するための係合部を備えていることを特徴とする光ファイバケーブル固定具。
【請求項１１】
請求項１０記載の光ファイバケーブル固定具において、
前記カバーは、前記固定具本体に取り付けられた状態で前記固定具本体に対して前記底面と平行な方向に突出する摘み部を備えていることを特徴とする光ファイバケーブル固定具。
【請求項１２】
請求項１記載の光ファイバケーブル固定具において、
前記保持部は、前記固定具本体の前記底面に向けて光ファイバケーブルを前記保持部内に挿入するために、前記溝方向に対して斜めに開口された傾斜開口部を前記底面と反対側に備えていることを特徴とする光ファイバケーブル固定具。
【請求項１３】
請求項１記載の光ファイバケーブル固定具において、
前記底面上の前記一端から前記他端に延在する一対の板状部を備え、
前記ガイド溝は、前記一対の板状部の間に形成され、
前記板状部は、前記底面と反対側の端に、前記ガイド溝に向けて突出する心線外れ防止片を備えていることを特徴とする光ファイバケーブル固定具。
【請求項１４】
請求項１記載の光ファイバケーブル固定具において、
前記固定具本体、前記保持具、前記取り出し部、前記ガイド溝および前記第１係止突起は、樹脂により一体形成されていることを特徴とする光ファイバケーブル固定具。
【発明の詳細な説明】
【技術分野】
【０００１】
本発明は、光ファイバケーブルを余長処理装置等の通信機器に固定するための光ファイバケーブル固定具に関する。
【背景技術】
【０００２】
近時、装置間を伝送される信号の伝送レートが向上しており、伝送媒体として電気ケーブルに代わり光ファイバケーブルが多用されてきている。光信号が伝送される光ファイバ心線は、強度が低い。このため、光ファイバケーブルは、光ファイバ心線とともにテンションメンバを樹脂により被覆することで形成される。例えば、余長処理装置等に導入された光ファイバケーブルは、テンションメンバを余長処理装置内に設けられる光ファイバケーブル固定具に取り付けることで固定される。光ファイバケーブルは、テンションメンバをねじ等により締め付けることで、この種の光ファイバケーブル固定具に取り付けられる（特許文献１参照）。
【特許文献１】特開平７−１３４２１４号公報
【発明の開示】
【発明が解決しようとする課題】
【０００３】
テンションメンバをねじ等により光ファイバケーブル固定具に取り付ける場合、ねじを締め付けるための工具が必要になる上、ねじやワッシャなどの小さい部品が必要になる。このため、光ファイバケーブルの取り付け、取り外しに時間が掛かる。また、この種の光ファイバケーブル固定具が、光ファイバ心線をテンションメンバとともに締め付ける構造を有する場合、ねじの締め付けにより光ファイバ心線が歪み、光信号の伝送特性が劣化する可能性がある。
【０００４】
本発明の目的は、光ファイバ心線の伝送特性に影響を与えることなく、光ファイバケーブルを余長処理装置等に簡単かつ確実に固定する光ファイバケーブル固定具を提供することにある。
【課題を解決するための手段】
【０００５】
請求項１の光ファイバケーブル固定具は、周囲より窪んだ底面を有する固定具本体を有する。保持部は、固定具本体における光ファイバケーブルの導入側の一端に形成され、光ファイバケーブルにおける光ファイバ心線とテンションメンバとが分離される分離部分を保持する。取り出し部は、固定具本体の他端に形成され、保持部から延在する光ファイバ心線を固定具本体の外側に延在させるために形成される。ガイド溝は、固定具本体の底面上に一端から他端に掛けて形成され、固定具本体上を延在する光ファイバ心線が収納される。第１係止突起は、固定具本体の底面上のガイド溝の両側に、溝方向に沿って間隔を置いて複数形成される。これら第１係止突起は、分離部分から分かれ蛇行状に湾曲され、固定具本体の底面上に埋め込まれる各テンションメンバの湾曲部の内周側に接触する。そして、第１係止突起とテンションメンバの湾曲部との摩擦力により、テンションメンバの導入側への抜けが防止される。特に、底面上に埋め込まれたテンションメンバが導入側へ引っ張られるときに、分離部分に近いテンションメンバに対してガイド溝側に寄せる力が働くことで、テンションメンバと第１係止突起との接触部分には、強い摩擦力が生じる。
【０００６】
請求項２の光ファイバケーブル固定具では、第１係止突起は、ガイド溝の両側にそれぞれ３個ずつ形成される。溝方向に並ぶ各第１係止突起列の中央の第１係止突起は、ガイド溝の側壁を外側に突出させて側壁および底面と一体に形成されている。中央の第１係止突起を、底面だけでなく側壁と一体に形成することで、中央の第１係止突起の強度は高くな
り、テンションメンバを固定具本体に取り付ける際に、第１係止突起が損傷することが防止される。
【０００７】
請求項３の光ファイバケーブル固定具では、中央の第１係止突起は、湾曲部の内周側が接触する位置に内周側に向けて突出する係止リブを備えている。底面上に埋め込まれたテンションメンバが導入側へ引っ張られるときに、係止リブがテンションメンバの内周部分に食い込むことで、テンションメンバが導入側に移動することが防止される。すなわち、テンションメンバが導入側に向けて緩むことが防止される。
【０００８】
請求項４の光ファイバケーブル固定具は、係止リブの底面と反対側の端は、面取りされている。このため、テンションメンバを湾曲しながら固定具本体の底面上に埋め込む際に、埋め込み作業が容易になる。また、埋め込み作業中に、作業者が怪我をすることが防止される。
【０００９】
請求項５の光ファイバケーブル固定具では、第２係止突起は、固定具本体の底面上において、他端側に位置する第１係止突起のガイド溝と反対側に、この第１係止突起と並列して形成されている。並列された第１および第２係止突起の間隔は、テンションメンバの外径より大きい。テンションメンバを第１係止突起と第２係止突起の間に配置する場合に、テンションメンバは、第２係止突起により湾曲形状が直線形状に戻ることが規制される。このため、中央の係止突起とテンションメンバとの摩擦力が小さくなることが防止され、テンションメンバが導入側に向けて緩むことが防止される。
【００１０】
請求項６の光ファイバケーブル固定具では、底面から突出する第１係止突起は、横断面矩形状に形成され、これら第１係止突起の突出端は、面取りされている。底面上に埋め込まれたテンションメンバが導入側へ引っ張られるときに、第１係止突起の角部がテンションメンバの湾曲部の内周側に食い込むことで、テンションメンバが導入側に向けて緩むことが防止される。また、面取りをすることで、テンションメンバの埋め込み作業が容易になり、埋め込み作業中に、作業者が怪我をすることが防止される。
【００１１】
請求項７の光ファイバケーブル固定具では、第１係止突起は、ガイド溝を軸として対称な位置に形成されている。このため、底面上に埋め込まれたテンションメンバが導入側へ引っ張られるときに、引っ張り力は、ガイド溝の両側のテンションメンバに等しく分散される。したがって、テンションメンバをガイド溝側に寄せる力は等しくなり、ガイド溝の両側において、テンションメンバと第１係止突起との接触部分の摩擦力は等しくなる。摩擦力の偏りがないため、テンションメンバを固定具本体への固定力を大きくできる。
【００１２】
請求項８の光ファイバケーブル固定具では、板状のカバーが、固定具本体における底面に対向する開口部分を覆って配置される。カバーは、固定具本体への取り付け時に底面から突出する第１係止突起の突出端が挿入される挿入穴を備えている。このため、カバーを取り付けることで、テンションメンバの蛇行部分がカバー側に外れることが防止される。また、第１係止突起が外力により破損することが防止される。
【００１３】
請求項９の光ファイバケーブル固定具では、カバーは、固定具本体に対向する面における溝方向に並ぶ第１係止突起の間に対応する位置に、固定具本体に向けて突出するケーブル押さえ突起を備えている。テンションメンバの蛇行部分は、ケーブル押さえ突起により底面側に押圧される。これにより、テンションメンバがカバー側に外れることが防止される。
【００１４】
請求項１０の光ファイバケーブル固定具では、カバーは、固定具本体に対向する面に、固定具本体に向けて突出する係止部を備えている。固定具本体は、底面上に係止部を係止
するための係合部を備えている。このため、テンションメンバを固定具本体の底面上に埋め込んだ後に、カバーを固定具本体上に載置し押圧するだけで、カバーは固定具本体に取り付けられる。
【００１５】
請求項１１の光ファイバケーブル固定具では、カバーは、固定具本体に取り付けられた状態で固定具本体に対して底面と平行な方向に突出する摘み部を備えている。このため、固定具本体に取り付けられたカバーは、摘み部を引っ張るだけで固定具本体から容易に取り外される。
【００１６】
請求項１２の光ファイバケーブル固定具では、保持部は、固定具本体の底面に向けて光ファイバケーブルを保持部内に挿入するために、溝方向に対して斜めに開口された傾斜開口部を底面と反対側に備えている。このため、保持部に保持された光ファイバケーブルが保持部から外れることが防止される。
【００１７】
請求項１３の光ファイバケーブル固定具は、底面上の一端から他端に延在する一対の板状部を備えている。ガイド溝は、一対の板状部の間に形成されている。板状部は、底面と反対側の端に、ガイド溝に向けて突出する心線外れ防止片を備えている。このため、ガイド溝に保持された光ファイバ心線がガイド溝から外れることが防止される。
【００１８】
請求項１４の光ファイバケーブル固定具では、固定具本体、保持具、取り出し部、ガイド溝および第１係止突起は、樹脂により一体形成されている。このため、光ファイバケーブル固定具を簡易に形成できる。
【発明の効果】
【００１９】
本発明では、光ファイバ心線の伝送特性に影響を与えることなく、光ファイバケーブルを余長処理装置等の通信機器に簡単かつ確実に固定できる。
【発明を実施するための最良の形態】
【００２０】
図１および図２は、本発明の光ファイバケーブル固定具の第１の実施形態を示している。この実施形態の光ファイバケーブル固定具は、光ファイバ心線２の両側に弾性を有する一対のテンションメンバ４が配線された光ファイバケーブル６を固定するために用いられる。光ファイバ心線２とテンションメンバ４とは、塩化ビニル樹脂（ＰＶＣ）等で被覆されて一体化されており、塩化ビニル樹脂を切り裂くことで、テンションメンバ４の一部を光ファイバ心線２から分離できる。この種の光ファイバケーブル６は、家屋への引き込み用として使用されることが多く、一般に、ドロップケーブルとも称されている。
【００２１】
光ファイバケーブル固定具は、固定具本体１００とカバー２００とで構成されている。固定具本体１００は、例えば、ポリフェニレンエーテル樹脂（ＰＰＥ）等を用いて金型成形により一体形成されている。このため、複雑な形状を有する光ファイバケーブル固定具を簡易に形成できる。固定具本体１００は、ほぼ平坦な直方体形状をしており、周囲に設けられた壁部１０と、この壁部１０より窪んだ底面１２とを有している。壁部１０の内側の一部には、カバー２００の外周部を当接するための段差が形成されている。固定具本体１００には、光ファイバケーブル６を導入する側の壁部１０ａを切り欠いて導入部１４が形成されている。導入部１４に隣接する底面１２には、光ファイバケーブル６の光ファイバ心線２とテンションメンバ４とが分離される分離部分８を保持する内部空間を有する保持部１６が形成されている。保持部１６の導入部１４側および導入部１４と反対側は、光ファイバケーブル６を挿通するために開口されている。保持部１６の底面１２と反対側の端（図の上端）には、後述するガイド溝２２の溝方向Ｄに対して斜めに開口された傾斜開口部１６ａが形成されている。
【００２２】
固定具本体１００には、テンションメンバ４と分離された光ファイバ心線２の先端側を固定具本体１００から取り出すために、壁部１０ａと反対側の壁部１０ｂを切り欠いて取り出し部１８が形成されている。
【００２３】
導入部１４と取り出し部１８との間の底面１２上には、導入部１４から取り出し部１８に掛けて所定間隔を置いて底面１２上を延在する一対の板状部２０ａ、２０ｂが形成されている。板状部２０ａ、２０ｂの間の空間により、固定具本体１００上を延在する光ファイバ心線２が収納されるガイド溝２２が形成されている。板状部２０ａ、２０ｂの底面１２と反対側の端（図の上端）には、ガイド溝２２に向けて突出する板状の心線外れ防止片２０ｃ、２０ｄがそれぞれ形成されている。板状部２０ａ、２０ｂは、ガイド溝２２の側壁として機能する。
【００２４】
ガイド溝２２の両側には、導入部１４側と取り出し部１８側に、底面から突出する横断面矩形状の係止突起２４（第１係止突起）が４箇所に形成されている。係止突起２４の突出端は、面取りされている。板状部２０ａ、２０ｂにおける溝方向Ｄのほぼ中央は、ガイド溝２２と反対側に突出しており、これら突出部分により係止突起２６（第１係止突起）が一体形成されている。そして、係止突起２４と板状部２０ａ、２０ｂ（係止突起２６）とにより、板状部２０ａ、２０ｂの外側に沿って蛇行形状の埋め込み溝２３が形成される。係止突起２６を板状部２０ａ、２０ｂを折り曲げて形成することで、係止突起２６の強度を高くできる。したがって、後述するように、テンションメンバ４を埋め込み溝２３に埋め込む（嵌め込む）際に、係止突起２６が損傷することを防止できる。
【００２５】
係止突起２６は、溝方向Ｄに並ぶ一対の係止突起２４の中央に配置される。係止突起２６は、ガイド溝２２と反対側の端における保持部１６側に、係止リブ２６ａを有している。係止リブ２６ａは、ガイド溝２２の反対側ほど肉薄で、先端が鋭角な横断面三角状に形成されている。係止リブ２６ａの底面１２と反対側の端は、面取りされており、ガイド溝２２側から先端側に掛けて傾斜している。係止突起２４の突出高さは、係止突起２６の高さより大きい。保持部１６の高さは、係止突起２４の突出高さとほぼ等しい。なお、係止突起２４、２６は、ガイド溝２２の中心軸に対して対称な位置にそれぞれ形成されている。
【００２６】
導入部１４側に位置する一対の係止突起２４のガイド溝２２と反対側には、後述するカバー２００の係止部４４を係止するための係合部２８がそれぞれ形成されている。係合部２８は、係止部４４の係止爪４４ａを係止するための凹部２８ａを有している。
【００２７】
カバー２００は、固定具本体１００の底面１２に対応する板形状を有しており、例えば、ポリアセタール樹脂（ＰＯＭ）等を用いて金型成形により一体形成されている。カバー２００には、固定具本体１００の係止突起２４に対応する位置に、貫通穴（挿入穴）４０が形成されている。カバー２００には、係止突起２６と導入部１４側に位置する係止突起２４との間、および係止突起２６と取り出し部１８側に位置する係止突起２４との間に対応する位置に、固定具本体１００に向けて突出する板状のケーブル押さえ突起４２がそれぞれ形成されている。
【００２８】
カバー２００には、固定具本体１００の係合部２８に対応する位置に、固定具本体１００に向けて突出し、先端に係止爪４４ａを有する係止部４４が形成されている。係止部４４の脇には、肉抜き穴４６が形成されている。図中の左側の係止部４４に対応する肉抜き穴４６は、貫通穴４０を兼ねている。係止部４４は、溝方向Ｄの直交方向（カバー２００に対して平行な方向）に弾性を有している。特に、肉抜き穴４６を形成することで、係止部４４は弾性力が増すため撓みやすくなる。カバー２００には、貫通穴４０を兼ねた肉抜き穴４６側の端に、溝方向Ｄの直交方向（カバー２００に対して平行な方向）に突出する
摘み部４８が形成されている。摘み部４８は、カバー２００の紛失を防止するためにひも等を通す貫通穴４８ａが形成されている。また、カバー２００には、固定具本体１００への取り付け時に、保持部１６の衝突を防ぐための切り欠き５０が形成されている。
【００２９】
図３は、固定具本体１００に光ファイバケーブル６を取り付けた状態を示している。光ファイバケーブル６を固定具本体１００に取り付ける場合、まず、光ファイバケーブル６は、先端側が切り裂かれ、光ファイバ心線２とテンションメンバ４とが分離される。テンションメンバ４の長さ（分離部分８から先端までの長さ）は、固定具本体１００の長さ（図の縦方向）より若干長い程度に切断される。
【００３０】
次に、光ファイバ心線２がガイド溝２２に収納される。ここで、心線外れ防止片２０ｃ、２０ｄの先端部分は、ともにガイド溝２２の中心軸に重なっている。このため、ガイド溝２２に収納された光ファイバ心線２は、収納位置によらず図上から見て必ず心線外れ防止片２０ｃ、２０ｄの少なくとも一方に重なる。したがって、心線外れ防止片２０ｃ、２０ｄにより、光ファイバ心線２がガイド溝２２から外れることを防止できる。
【００３１】
光ファイバ心線２のガイド溝２２への収納とともに、光ファイバケーブル６の分離部分８が、光ファイバ心線２の軸長方向に対して斜めにされ、保持部１６の傾斜開口部１６ａに挿入される。なお、光ファイバケーブル６は、光ファイバ心線２の両側にテンションメンバ４を配置して構成されており、その断面は扁平形状を有している。このため、扁平部分を立てることで、分離部分８を傾斜開口部１６ａを介して保持部１６の内部空間に容易に保持できる。傾斜開口部１６ａの開口ラインは、保持部１６に保持された光ファイバケーブル６の軸に対して傾斜している。このため、光ファイバケーブル６が保持部１６から外れることを防止できる。
【００３２】
次に、テンションメンバ４が埋め込み溝２３に沿って蛇行状に湾曲され、埋め込み溝２３に埋め込まれる。本発明では、板状部２０ａ、２０ｂと係止突起２４、２６とにより形成される埋め込み溝２３の幅は、テンションメンバ４の外径より大きく設定されている（例えば、外径の約２倍）。したがって、テンションメンバ４の外径に交差が生じた場合にも、テンションメンバ４を埋め込み溝２３に容易に埋め込むことができる。
【００３３】
テンションメンバ４の埋め込み溝２３への埋め込み後、テンションメンバ４の湾曲部分の一部は、その内周側が係止突起２４、２６に接触する。特に、テンションメンバ４は、係止突起２６から突出する係止リブ２６ａに強く接触する。なお、係止突起２４および係止リブ２６ａは面取りされているため、テンションメンバ４を埋め込み溝２３に埋め込む際に、埋め込み作業が容易にでき、作業者が怪我をすることを防止できる。
【００３４】
光ファイバ心線２は、固定具本体１００に固定されておらず、ガイド溝２２に移動自在に保持される。このため、光ファイバ心線２は、カバー２００および固定具本体１００により押圧されて変形することはない。したがって、光ファイバケーブル６を光ファイバ固定具に固定するときに、光ファイバ心線２が変形により歪むことはなく、光信号の伝送特性が劣化することはない。本発明では、テンションメンバ４を、固定具本体１００にねじ止め等することなく取り付けできるため、ねじ等の小さな部品も不要である。したがって、光ファイバケーブル６を固定具本体１００に取り付ける際の作業性を向上できる。
【００３５】
この状態で、テンションメンバ４が導入部１４側に引っ張られた場合、テンションメンバ４は、蛇行形状から直線形状に変形しようとする。このため、テンションメンバ４の湾曲部分の内周側は、係止突起２４、２６の角部分に押圧され、テンションメンバ４と係止突起２４、２６の接触部分には、摩擦力が生じる。特に、係止突起２４、２６および板状部２０ａ、２０ｂは、ガイド溝２２の中心軸に対して対称な形状に形成されている。この
ため、テンションメンバ４の引っ張り力（外力）は、ガイド溝２２の両側のテンションメンバ４に等しく分散され、分離部分８に近い各テンションメンバ４には、ガイド溝２２側に寄せる力が均等に働く。したがって、２本のテンションメンバ４と係止突起２４、２６との接触部分の摩擦力は互いに等しくなる。この結果、図の左側と右側とで、テンションメンバ４の固定具本体１００への固定力は、ほぼ均等になる。固定力に偏りがないため、テンションメンバ４は、保持部１６側に抜け難くなる。
【００３６】
また、係止突起２４は、横断面矩形状のため、係止突起２４の角部は、テンションメンバ４の湾曲部分に食い込みやすい。さらに、中央に位置する係止突起２６は、係止リブ２６ａを有しているため、係止リブ２６ａの先端の鋭角部分は、テンションメンバ４に食い込む。したがって、テンションメンバ４とこれら角部分および係止リブ２６ａとの強い摩擦力により、テンションメンバ４（光ファイバケーブル６）の保持部１６側への抜けを確実に防止できる。すなわち、テンションメンバ４が保持部１６に向けて緩むことを確実に防止できる。
【００３７】
なお、上述したように、光ファイバ心線２は、固定具本体１００に固定されておらず、ガイド溝２２に移動自在に保持されている。このため、テンションメンバ４が導入部１４側に引っ張られた際に、光ファイバ心線２が変形することはない。したがって、光ファイバ心線２に光信号が伝送されているときに、テンションメンバ４が引っ張られた場合にも、光信号の伝送特性が劣化することを防止できる。
【００３８】
図４は、図３に示した光ファイバケーブル６が取り付けられた固定具本体１００にカバー２００を取り付けた状態を示している。カバー２００は、係止部４４の係止爪４４ａを固定具本体１００の係合部２８に係止することで固定具本体１００に取り付けられる。係止部４４が弾性を有しているため、カバー２００を固定具本体１００上に載置し、固定具本体１００に向けて押圧することで、カバー２００を固定具本体１００に容易に取り付けることができる。カバー２００の外形形状は、固定具本体１００の壁部１０の内周形状（すなわち、図１に示した底面１２の形状）に対応して形成されている。このため、カバー２００の取り付けにより、固定具本体１００の開口部分は、カバー２００により覆われる。
【００３９】
カバー２００の固定具本体１００への取り付けにより、固定具本体１００の係止突起２４の突出端は、貫通穴４０に挿入される。また、テンションメンバ４の蛇行部分は、カバー２００のケーブル押さえ突起４２により図示しない底面１２側に押圧される。これにより、テンションメンバ４のカバー２００側への外れを防止できる。また、係止突起２４の突出端が貫通穴４０により支持されるため、係止突起２４が外力により破損することを防止できる。なお、固定具本体１００に取り付けられたカバー２００は、摘み部４８を引っ張るだけで固定具本体１００から容易に取り外すことができる。
【００４０】
図５は、本発明の光ファイバケーブル固定具を採用した光ファイバケーブル余長処理装置の例を示している。この例では、光ファイバケーブル余長処理装置は、本体部３００と蓋部４００とで構成されている。光ファイバケーブル固定具の固定具本体１００は、光ファイバケーブル余長処理装置の本体部３００における光ファイバケーブルの導入口に近接する位置に、本体部３００とともに一体形成されている。カバー２００の貫通穴４８ａに通されるひも等は、例えば、本体部３００に結ばれる。これにより、光ファイバケーブルを固定具本体１００に取り付ける際に、カバー２００の紛失を防止できる。
【００４１】
図６は、本発明の光ファイバケーブル固定具を採用した光ファイバケーブル余長処理装置を用いて光ファイバケーブル６の余長処理を行う例を示している。固定具本体１００に取り付けられた光ファイバケーブル６から光ファイバケーブル余長処理装置の本体部３０
０内に導入された光ファイバ心線２は余長処理部３００ｂにより余長処理される。そして、光ファイバ心線２の先端に取り付けられた光プラグ５００が、本体部３００に取り付けられる光アダプタ６００に接続され、余長処理が完了する。
【００４２】
以上、この実施形態では、光ファイバケーブル固定具に取り付けられた光ファイバ心線２に光信号が伝送されているときに、テンションメンバ４が引っ張られた場合にも、光信号の伝送特性が劣化することを防止できる。ねじ等を用いることなく、光ファイバケーブル６を固定具本体１００に効率よく取り付けできる。すなわち、光ファイバケーブル６を固定する際の作業性を向上できる。ねじ等を用いることなく固定具本体１００とカバー２００のみで光ファイバケーブル固定具を構成できるため、光ファイバケーブル固定具の製造コストを削減できる。また、光ファイバケーブル固定具を小型にできる。係止突起２４、２６とテンションメンバ４との摩擦力により、光ファイバケーブル６の保持部１６側への抜けを確実に防止できる。
【００４３】
図７および図８は、本発明の光ファイバケーブル固定具の第２の実施形態を示している。第１の実施形態と同じ要素については、同じ符号を付し、詳細な説明を省略する。この実施形態では、固定具本体１０２において、取り出し部１８側に位置する一対の係止突起２４の外側（ガイド溝２２と反対側）に、係止突起２４に並列に係止突起２５（第２係止突起）がそれぞれ形成されている。係止突起２５の形状は、係止突起２４と同じである。係止突起２４、２５の間隔は、テンションメンバ４の外径より僅かに大きく形成されている。また、カバー２０２は、係止突起２５に対応する位置に貫通穴４１が形成されている。固定具本体１０２の係止突起２５を除く構造およびカバー２０２の貫通穴４１を除く構造は、第１の実施形態の固定具本体１００およびカバー２００と同じである。
【００４４】
この実施形態では、光ファイバケーブル６に強い引っ張り力が掛かるおそれがあるときに、図７に示すように、各テンションメンバ４の先端部分は、板状部２０ａ、２０ｂと係止突起２４との間に配置される。この状態は、第１の実施形態（図３）と同じである。すなわち、光ファイバケーブル６が導入部１４側に引っ張られた場合、各テンションメンバ４の先端部分は、取り出し部１８側の係止突起２４の角部と、係止突起２６の取り出し部１８側の角部に押圧される。このため、テンションメンバ４（光ファイバケーブル６）の保持部１６側への抜けを確実に防止できる。
【００４５】
一方、光ファイバケーブル６に強い引っ張り力が掛かるおそれがないときに、図８に示すように、各テンションメンバ４の先端部分は、係止突起２４、２５の間に配置される。このとき、係止突起２５は、湾曲されたテンションメンバ４が復元力により外側に開くことを防止し、テンションメンバ４の湾曲部分の内周側が係止リブ２６ａに離れることを防止する。すなわち、テンションメンバ４が板状部２０ａ、２０ｂと係止突起２４との間に配置されない場合にも、係止突起２５により、係止リブ２６ａとテンションメンバ４との摩擦力が小さくなることを防止できる。すなわち、テンションメンバ４を、係止リブ２６ａに確実に食い込ませることができる。
【００４６】
この状態で光ファイバケーブル６が導入部１４側に引っ張られた場合、テンションメンバ４は、導入部１４側に位置する係止突起２４の角部と、係止リブ２６ａに押圧され、取り出し部１８側の係止突起２４の角部と、係止突起２５の取り出し部１８側の角部には押圧されない。したがって、引っ張り力に対するテンションメンバ４の固定力は、図７に比べ弱くなる。しかし、テンションメンバ４を湾曲する回数を減らすことができるため、光ファイバケーブル６を固定具本体１０２に取り付けるときの作業性をさらに向上できる。
【００４７】
以上、第２の実施形態においても、第１の実施形態と同様の効果を得ることができる。さらに、この実施形態では、係止突起２５を形成することにより、テンションメンバ４を
図８に示した状態に取り付ける場合にも、テンションメンバ４を係止リブ２６ａに確実に接触させることができる。この結果、光ファイバケーブル６の導入部１４側への引っ張り力に対して、光ファイバケーブル６が固定具本体１０２から外れることを確実に防止できる。また、光ファイバケーブル６を固定具本体１０２に取り付けるときの作業性をさらに向上できる。
【００４８】
なお、上述した実施形態において、溝方向に沿って並ぶ係止突起２４、２６の数は、３個に限定されることなく、４個以上でもよい。カバー２００に形成される貫通穴４０は、係止突起２４の先端が挿入される凹部でもよい。
【００４９】
上述した実施形態では、カバー２００に貫通穴４０およびケーブル押さえ突起４２を形成したが、貫通穴４０およびケーブル押さえ突起４２の一方のみを形成することでも、テンションメンバ４のカバー２００側への外れを防止できる。
【００５０】
底面１２におけるカバー２００のケーブル押さえ突起４２に対応する部分を除く領域に、テンションメンバ４を係止突起２４の突出方向に湾曲させるために、隆起部を形成してもよい。この場合、テンションメンバ４が底面１２に平行な方向だけでなく、底面１２に直交する方向にも湾曲するため、テンションメンバ４を固定具本体１００、１０２に、より確実に固定できる。
【００５１】
係止突起２４、２６が横断面矩形状であれば、係止リブ２６ａを形成しなくても光ファイバケーブル６が固定具本体１０２から外れることを防止できる。また、係止リブ２６ａを係止突起２６の導入部１４側だけでなく、係止突起２６の取り出し部１８側に形成してもよい。さらに、係止突起２６ａを導入部側に位置する係止突起２４の取り出し部１８側に形成してもよい。
【００５２】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００５３】
本発明は、光ファイバケーブルを固定するために、光ファイバケーブルの余長処理装置等の通信機器に適用できる。
【図面の簡単な説明】
【００５４】
【図１】本発明の光ファイバケーブル固定具の第１の実施形態を示す斜視図である。
【図２】図１に示したカバーの詳細を示す斜視図である。
【図３】図１に示した固定具本体に光ファイバケーブルを取り付けた状態を示す正面図である。
【図４】図３の光ファイバケーブルが取り付けられた固定具本体にカバーを取り付けた状態を示す正面図である。
【図５】本発明の光ファイバケーブル固定具を採用した光ファイバケーブル余長処理装置の例を示す斜視図である。
【図６】本発明の光ファイバケーブル固定具を採用した光ファイバケーブル余長処理装置を用いて光ファイバケーブルの余長処理を行う例を示す正面図である。
【図７】本発明の光ファイバケーブル固定具の第２の実施形態を示す斜視図である。
【図８】図７に示した固定具本体において、光ファイバケーブルを別の取り付け例を示す斜視図である。
【符号の説明】
【００５５】
２  光ファイバ心線
４  テンションメンバ
６  光ファイバケーブル
８  分離部分
１０  壁部
１２  底面
１４  導入部
１６  保持部
１８  取り出し部
２０ａ、２０ｂ  板状部
２０ｃ、２０ｄ  心線外れ防止片
２２  ガイド溝
２３  埋め込み溝
２４、２５、２６  係止突起
２６ａ  係止リブ
２８  係合部
４０、４１  貫通穴
４２  ケーブル押さえ突起
４４  係止部
４６  肉抜き穴
４８  摘み部
５０  切り欠き
１００、１０２  固定具本体
２００、２０２  カバー
【図１】
2006308638.tif 000003
【図２】
2006308638.tif 000004
【図３】
2006308638.tif 000005
【図４】
2006308638.tif 000006
【図５】
2006308638.tif 000007
【図６】
2006308638.tif 000008
【図７】
2006308638.tif 000009
【図８】
2006308638.tif 000010